(57)【要約】【課題】  管継手内部への異物の侵入防止と、鞘管の固定を少ない部品点数により行なうことのできる管継手用保護キャップを提供する。【解決手段】鞘管Ｄに覆われた通水管５が接続される管継手Ｃの開口部１４に装着される本体部２１と、この本体部２１に結合され異物が侵入するのを防止するため開口部１４を被覆する蓋部材２２とを備えた管継手用保護キャップＡにおいて、前記本体部２１には鞘管Ｄを支持するための抜止部材３２が形成されている。【選択図】  図１
2005180546.tif 000002
【特許請求の範囲】
【請求項１】
鞘管に覆われた通水管が接続される管継手の開口部に装着される本体部と、この本体部に結合され異物が侵入するのを防止するため開口部を被覆する蓋部材とを備えた管継手用保護キャップにおいて、前記本体部には鞘管を支持するための抜止部材が形成されたことを特徴とする管継手用保護キャップ。
【請求項２】
前記抜止部材は鞘管の外周面に係合する爪部が形成されたことを特徴とする請求項１記載の管継手用保護キャップ。
【請求項３】
前記本体部は複数の分割体が回転自在で一体に結合され、管継手に対し着脱自在としたことを特徴とする請求項１又は請求項２に記載の管継手用保護キャップ。
【発明の詳細な説明】
【技術分野】
【０００１】
本発明は、管継手の運搬中または保管中に、管継手の内部に異物が侵入するのを防止するために装着される管継手用保護キャップに関する。
【背景技術】
【０００２】
従来、住宅内に配設された複数個の水栓金具に対して水や湯を供給するものとしてヘッダー配管工法が公知である。このヘッダー配管工法は、建物の躯体工事の際に水、湯の各ヘッダーと各水栓金具との間で床下や壁裏に蛇腹状の鞘管をたこ足状に配設しておき、後日適当な時期にこの鞘管内に給水，給湯用の合成樹脂材料からなる通水管を挿通させ、通水管の先端を、ヘッダーに結合されている複数個の管継手のうち何れかに接続するものである。なお、鞘管は通水管を保護するためのものである。そして、鞘管内に挿通された通水管の先端を管継手に接続する場合、管継手は通水管が接続される前に異物が侵入するのを防止するため、通水管の開口部を覆う保護キャップを装着している。（特許文献１参照）また、通水管を管継手に接続した後に、蛇腹状の鞘管を支持する必要があるが、鞘管を支持するための固定具を備えた管継手が公知である。（特許文献２参照）この管継手は通水管を管継手に接続した後に、鞘管の先端を固定具に押し込めば、固定具の内周面に形成された爪により鞘管は固定具に支持されるようになっている。
【０００３】
【特許文献１】実開平５−８９２６３号公報
【特許文献２】特開２００３−１３４７３号公報
【発明の開示】
【発明が解決しようとする課題】
【０００４】
ところが、鞘管の固定具は管継手及び保護キャップとは別物品とする必要があり、管継手の内部への異物の侵入防止と鞘管の支持を行なうには、保護キャップと固定具との２つの物品が必要で、構成部品が多くなるという問題があった。また、通常ヘッダーは床下の狭い空間に配置されるが、保護キャップと鞘管の固定具が別品であると、樹脂管を管継手に接続する際に固定具が邪魔になり、作業性が悪くなるものであった。
【０００５】
本発明は、このような従来の技術に存在する問題点に着目してなされたものであり、その課題は、管継手内部への異物の侵入防止と鞘管の固定を少ない部品点数により行なうことのできる保護キャップを提供することである。
【課題を解決するための手段】
【０００６】
上記目的を達成するため、請求項１に記載の発明は、鞘管に覆われた通水管が接続される管継手の開口部に装着される本体部と、この本体部に結合され異物が侵入するのを防止するため開口部を被覆する蓋部材とを備えた管継手用保護キャップにおいて、前記本体部には鞘管を支持するための抜止部材が形成されたものである。
【０００７】
請求項２では請求項１記載の発明による管継手用保護キャップにおいて、前記抜止部材は鞘管の外周面に係合する爪部が形成されたものである。
【０００８】
請求項３では請求項１又は請求項２記載の発明による管継手用保護キャップにおいて、前記本体部は複数の分割体が回転自在で一体に結合され、管継手に対し着脱自在としたものである。
【発明の効果】
【０００９】
本発明の請求項１による管継手用保護キャップでは、異物が管継手の内部に侵入するのを防止するのに加え、鞘管を固定することができ、保護キャップが鞘管の固定を共用し、鞘管を支持するための固定具が不要となり、部品点数を省略することでコスト低減を図ることができる。また、鞘管を支持する固定具が不要となるので、管継手の周囲がすっきりとし、樹脂管に管継手に対する接続を迅速に行なうことができる。
【００１０】
請求項２では、鞘管を保護キャップに挿入するのみの簡単な作業で、鞘管が抜け出さないように確実に保持することができる。
【００１１】
請求項３では、保護キャップは複数の分割体を回転自在で一体に結合されているので、鞘管の保護キャップからの取り外しを容易に行なうことができる。
【発明を実施するための最良の形態】
【００１２】
以下、本発明の実施例を図に基づいて詳細に説明する。
【実施例１】
【００１３】
本実施例の保護キャップＡは、ヘッダーＢに結合された管継手Ｃに対し装着されるものである。図１は建物の室内に配置されたヘッダーＢに対し管継手Ｃが結合された状態であり、ヘッダーＢは横長に形成された胴体部１の内部に直線状の通水路２が形成され、この通水路２の一端に給水管又は給湯管が接続される接続口３が設けられている。前記通水路２の軸心方向と直交する側部には、複数個の管接続部４が形成されており、互いの管接続部４は等間隔である。各管接続部４の先端には固定具４ａにより管継手Ｃが結合され、この管継手Ｃに対し通水管５が接続されるもので、給水源から供給される水、又は給湯源から供給される湯は、ヘッダーＢを介して各通水管５により、室内の所定の位置に配置された流し台や洗面台等に取り付けられている各水栓金具（図示省略）に分岐され、前記通水管５は、予め床下等の配設された鞘管Ｄに挿通させ、この鞘管Ｄはポリエチレン等の合成樹脂材料で蛇腹状に形成されている。
【００１４】
前記管継手Ｃは筒状の継手本体６を備えており、その一端側に形成された連結部７は固定具４ａにより前記ヘッダーＢの管接続部４に結合されている。図２に示すように、継手本体６には外筒８が遊挿され、この外筒８は、基端内周面に形成された雌ねじ部９と継手本体６の中央部付近に形成された雄ねじ部１０とが螺合されることにより継手本体６に取り付けられている。継手本体６において、その中央部から連結部７の他端側に位置する箇所には、前記通水管５が外嵌されるスリーブ１１が形成されている。また、スリーブ１１の外周面と外筒８の内周面との間には、通水管５が挿入される環状の挿入溝１２が形成されている。
【００１５】
前記外筒８は略円筒状で、先端に向け大径とした円錐部１３が形成され、この円錐部１３の先端には、通水管５が挿入される開口部１４が形成されている。保持部材１５は円錐部１３の外周面を覆うようにして、例えばかしめ等により容易に落下することがないように装着されるもので、外筒８の開口部１４と保持部材１５との間には抜け止めリング１６が挟着されている。この抜け止めリング１６は、通水管５が挿入溝１２に挿入されると通水管５の外周面に食い込んで、通水管５の抜けが防止されるようになっている。また、保持部材１５は外筒８の円錐部１３を覆う被覆部１７と、通水管５が挿入される挿通孔１８とが形成され、被覆部１７の外周面はテーパー面１７ａとなっている。なお、通水管５は、抜け止めリング１６が食い込み易い軟質な可塑性樹脂材料（架橋ポリエチレン管やポリブテン管等）によって形成されている。
【００１６】
前記スリーブ１１は外周面に環状の装着溝１９が凹設され、この装着溝１９内にはシール部材２０が嵌め込まれている。従って、シール部材２０によって、通水管５の内周面と、継手本体６のスリーブ１１との間のシールが図られ、継手本体６内を流れる水が外部に漏れないようになっている。
【００１７】
保護キャップＡは合成樹脂製で、図３乃至図５に示すように略半円筒形に形成された第１分割体２１ａと同じく半円筒状に形成された第２分割体２１ｂからなる本体部２１と、第１分割体２１ａの上端に結合された蓋部材２２とからなり、両分割体２１ａ，２１ｂは一体で、薄肉に形成された縦軸方向の第１結合部２３を中心として左右方向へ開閉自在に結合され、両分割体２１ａ，２１ｂを左右から重ね合わせて略円筒状とした状態で内部に形成される垂直方向の空間部２４は、前記保持部材１５の被覆部１７全体を覆うことのできる形状である。
【００１８】
前記本体部２１の第２分割体２１ｂは側部の開口縁から開口方向に向け横板２５が延出し、この横板２５は先端の外周面に係止爪２６が形成されている。第１分割体２１ａはこの係止爪２６と水平方向に向かい合う位置に係止部２７が形成されており、係止部２７は係止爪２６が弾力的に係止される係止孔２８が形成されており、係止爪２６を係止孔２８に対し弾力的に係合させたり係合を解除することで、保護キャップＡを管継手Ｃに装着したり、管継手Ｃから取り外すことができる。また、両分割体２１ａ，２１ｂの内周面で上下方向の略中央には互いに向かい合うように円弧状の鍔部２９が形成され、この鍔部２９と底面に形成された底面部３０との間は、鍔部２９から底面部３０に向けて小径となるようにテーパー面３１が形成されており、管継手Ａの保持部材１５を覆うようにして管継手Ｃの開口部１４に装着されると、保持部材１５と保護キャップＡとの互いのテーパー面１７ａ，３１は同形状であるため密着し、保護キャップＡは管継手Ｃからずれることがないように装着される。
【００１９】
保護キャップＡは、本体部２１の内周面で両分割体２１ａ，２１ｂの上端部には、互いに向かい合うようにして一対の抜止部材３２，３２が一体に形成されている。この抜止部材３２は分割体２１ａ，２１ｂの内周面から空間部２４の内側中央部に向けて略円弧状に形成されたもので、互いに向かい合う面は直線面３３であり、この直線面３３は先端を鋭角とした爪部３４が形成されている。この抜止部材３２は、通水管５を保護するために覆っている鞘管Ｄが保護キャップＡの内部に挿入されると、外周面の長手方向に沿って凹部４１ａ及び凸部４１ｂが交互に形成された鞘管Ｄの蛇腹部４１が爪部３４を弾力的に押し、爪部３４が凹部４１ａに食い込むことで，鞘管Ｄは保護キャップＡから抜けないように保持されるものである。なお、抜止部材の形状は本実施例に限定されず、鞘管に食い込む形状であれば任意に変更可能である。
【００２０】
保護キャップＡの蓋部材２２は本体部２１より薄肉に形成されており、空間部２４を覆うことで、砂、埃、その他の異物が空間部２４に侵入しないようにしたものである。蓋部材２２は第１分割体２１ａの開口端の一部に形成された第２結合部３５により第１分割体２１ａと結合しており、この第２結合部３５は本体部２１より薄肉で強度が極めて弱く、本体部２１の外周縁から外側に向けてはみ出すように形成された摘み２２ａを、第１分割体２１ａから引き離す方向に一定の力で引っ張れば、蓋部材２２は保護キャップＡから容易に分離させることができるものである。
【００２１】
図３に示すように、本発明の保護キャップＡは、管継手Ｃに対し通水管５が接続される前は蓋部材２２が結合されており、図４に示すように保護キャップＡを管継手Ｃに対し側方からがたつかないように装着することで、管継手Ｃの挿入溝１２に砂、埃等の異物が侵入しないようにしている。即ち、異物は管継手Ｃの内部に侵入するとシール部材２０に付着してしまい、通水管５を管継手Ｃに接続すると確実にシールすることができず、漏水が発生することがあるからである。
【００２２】
そして図５に示すように、管継手Ｃに対し通水管５を接続する直前に、保護キャップＡから蓋部材２２を取り外す。この場合、蓋部材２２は第１分割体２１ａに対し第２結合部３５により一体に結合されており、しかもその結合部３５の肉厚は両分割体２１ａ，２１ｂの肉厚より薄く形成されているため、摘み２２ａを強く引っ張れば第１分割体２１ａから容易に引き離すことができる。
【００２３】
次に図６に示すように、保護キャップＡから蓋部材２２を引き離した後に、通水管５を管継手Ｃに対し接続する。そして、鞘管Ｄを保護キャップＡの内部に挿入すると、鞘管Ｄの各蛇腹部４１の間に形成される凹部４１ａに対し抜止部材３２の爪部３４が弾力的に食い込み、鞘管Ｄは保護キャップＡから抜けないように保持される。
【００２４】
また、鞘管Ｄを保護キャップＡから離脱させるには、保護キャップＡの係止爪２６と係止部２７の係止孔２８の係合を解除すれば、保護キャップＡは引き剥がされ、鞘管Ａは保護キャップＡから抜け出す。
【００２５】
以上のように本発明の保護キャップでは、異物が管継手の内部に侵入するのを防止するのに加え、鞘管を固定することができ、保護キャップが鞘管の固定を共用し、鞘管を支持するための固定具が不要となり、部品点数を省略することでコスト低減を図ることができる。また、鞘管を支持する固定具が不要となるので、管継手の周囲がすっきりとし、樹脂管に管継手に対する接続を迅速に行なうことができる。
【図面の簡単な説明】
【００２６】
【図１】本発明の保護キャップが管継手に装着された状態の平断面図である。
【図２】図１の要部拡大説明図である。
【図３】保護キャップの本体部において、両分割体が開いた状態の説明図である。
【図４】保護キャップが管継手に装着された状態の斜視図である。
【図５】保護キャップから蓋部材を引き離した状態の説明図である。
【図６】通水管を管継手に接続した状態の説明図である。
【図７】鞘管を保護キャップに支持した状態の説明図である。
【符号の説明】
【００２７】
５    ：通水管
１４  ：開口部
２１  ：本体部
２２  ：蓋部材
３２  ：抜止部材
３４  ：爪部
Ａ    ：保護キャップ
Ｃ    ：管継手
Ｄ    ：鞘管
【図１】
2005180546.tif 000003
【図２】
2005180546.tif 000004
【図３】
2005180546.tif 000005
【図４】
2005180546.tif 000006
【図５】
2005180546.tif 000007
【図６】
2005180546.tif 000008
【図７】
2005180546.tif 000009